(57)【要約】【課題】始動直後に速やかに背圧仕切帯が安定した状態で旋回鏡板背面に押圧されるよう動作することにより、効率の安定した、信頼性の高いスクロール圧縮機を提供すること。【解決手段】背圧仕切帯の外周側面に旋回鏡板背面側に対して径大となる円錐状の傾斜面を設け、これを収納する収納溝の外周側面にも同様の傾斜面を設けることにより、旋回鏡板の背面の中心側に作用する圧縮機構の吐出圧力と等しい圧力の潤滑油から加わる圧力により、背圧仕切帯が径大となると同時にこの傾斜面に沿って背圧仕切帯が収納溝から速やかに浮上して、始動直後に旋回鏡板の背面と収納部外周側面とが押圧され、密封が確実になると共に、背圧が安定して、信頼性が高く、効率の安定したスクロール圧縮機が実現出来る。【選択図】図２
2007023957.tif 000002
【特許請求の範囲】
【請求項１】
容器内に軸受により支承されたクランク軸を介して圧縮動作を行う圧縮機構部と、これを駆動する電動機とから成る冷凍空調用圧縮機で、圧縮機構部が固定枠体上に形成した固定スクロールと、この固定スクロールと互いに噛み合わせて複数個の圧縮空間を形成するように配設した旋回スクロールと、この旋回スクロールの自転を防止する自転防止機構とから成るスクロール圧縮機において、前記固定枠体の周辺平面と前記旋回スクロールの旋回鏡板の周辺平面とを摺動自在に当接させると共に、前記旋回鏡板の背面に微少空隙を介して軸方向支持部を設け、前記旋回鏡板に半径方向、及び軸方向の２種類の合成された圧力が作用するように、前記微少空隙を摺動自在に密封して仕切るリング状の背圧仕切帯を設け、これを軸受部材又は旋回鏡板に形成された背圧仕切帯収納溝に収納し、この背圧仕切帯の外側側面が旋回鏡板に対して径大となるような円錐状の傾斜面を持ち、また前記収納溝外壁側面もこれに合わせた円錐状の傾斜面であることを特徴とするスクロール圧縮機。
【発明の詳細な説明】
【技術分野】
【０００１】
本発明は、業務用及び家庭用の空気調和機（空調機）等に使用されるスクロール圧縮機に関するものである。
【背景技術】
【０００２】
従来のスクロール圧縮機の例として、以下図面とともに説明する。
【０００３】
図３は、従来のスクロール圧縮機の圧縮機構内部構造を表す縦断面図である。
【０００４】
図３に示す旋回スクロール１０１の旋回鏡板１０２に圧縮作業空間１０３から付加される軸方向スラスト力を緩和させる為に、前記旋回鏡板１０２の背面の中心側に圧縮機構１０４の吐出圧力が作用し、その外側に吐出圧力より低い吐出圧力と吸入圧力の中間の圧力が作用するように、前記旋回鏡板１０２と軸受部材１０５の軸方向支持部１０６との微少隙間１０７を、この旋回鏡板１０２の背面と摺動自在に接する背圧仕切帯１０８で仕切っている（図４）。この背圧仕切帯１０８は、旋回鏡板１０２の背面の中心側に作用する圧縮機溝１０４の吐出圧力と等しい圧力の潤滑油が、この背圧仕切帯１０８を収納する軸受部材１０５に形成された背圧仕切帯収納溝１０９に流入することで、旋回鏡板１０２の背面と収納溝１０９の外周側面とに押圧されている（例えば、特許文献１参照）。
【特許文献１】特開平１−１７８７８５号公報（第４頁、図３）
【発明の開示】
【発明が解決しようとする課題】
【０００５】
しかしながら、前記従来のような背圧仕切帯１０８は始動直後に背圧仕切帯収納溝１０９の中に入ったままになることがあり、背圧仕切帯１０８の背部に圧力の高い潤滑油が流入して浮かび上がることが出来ず、その為、背圧仕切帯１０８が旋回鏡板１０２の背面に押圧されずに、吐出圧力より低い背圧室１１０に吐出圧力に近い潤滑油が過大に流入して、旋回鏡板１０２平面の摺動等による動力損失が増大し、圧縮機の効率を低下させると共に、信頼性低下を招くという課題があった。
【０００６】
本発明はこれらの課題を解決するものであり、始動直後速やかに背圧仕切帯１０８が安定した状態で旋回鏡板１０２の背面と収納溝１０９の外周側面とに押圧されるような動作をすることにより、効率の安定した、信頼性の高いスクロール圧縮機を提供することを目的とする。
【課題を解決するための手段】
【０００７】
前記従来の課題を解決する為に、本発明は、スクロール圧縮機の背面に微少空隙１０７を介して軸方向支持部１０６を設け、前記旋回鏡板１０２に半径方向、及び軸方向の２種類の合成された圧力が作用するように、前記微少空隙１０７を摺動自在に密封して仕切るリング状の背圧仕切帯１０８を設け、これを軸受部材１０５又は旋回鏡板１０２に形成された背圧仕切帯収納部１０９に収納し、この背圧仕切帯１０８の外側側面が旋回鏡板に対して径大となるような円錐状の傾斜面１０８Ａを持ち、また前記収納溝外壁側面もこれに合わせた円錐状の傾斜面１０９Ａとするものである。
【０００８】
本構成によって、背圧仕切帯１０８は、旋回鏡板１０２の背面の中心側に作用する圧縮機構１０４の吐出圧力と等しい圧力の潤滑油が掛かることにより、半径方向にリング形状が径大となると共に、始動直後に前記円錐状傾斜面（１０８Ａ、１０９Ａ）に沿って、速やかに背圧仕切帯１０８が浮上し、溝１０９に前記潤滑油が流入し易くなり、旋回鏡板１
０２の背面と収納溝１０９の外周側面とが押圧されることとなり、密封が確実になると共に、背圧が安定して、信頼性が高く、効率の安定したスクロール圧縮機が実現出来る。
【発明の効果】
【０００９】
以上のように、本発明によれば、前記旋回鏡板と収納部外周側面とに半径方向、及び軸方向の２種類の合成された圧力が作用し易いような、背圧仕切帯の収納部構成とすることが可能となり、圧縮機始動直後に背圧仕切帯が速やかに旋回鏡板の背面と収納部外周側面とに押圧されるようになる為、密封が確実なものとなると共に、背圧が安定して、吐出圧力より低い背圧室に吐出圧力に近い潤滑油が過大に流入することが無くなり、効率を安定化させると共に、信頼性の高いスクロール圧縮機を提供することが出来る。
【発明を実施するための最良の形態】
【００１０】
以下、本発明の実施の形態について、図面を参照しながら説明する。
【００１１】
（実施の形態１）
図１は、本発明の実施の形態１における密閉型電動縦置きスクロール圧縮機の断面図の一例である。
【００１２】
密閉容器１１１の内部に、圧縮機構１０４を駆動する電動機１１２の固定子１１３が焼嵌固定され、この電動機１１２の回転子１１４に圧縮機構１０４を駆動するクランク軸１１５が結合している。圧縮機構１０４は固定枠体１１６に固定スクロール１１７と噛み合って複数個の圧縮作業空間１０３を形成する旋回スクロール羽根１１８を旋回鏡板１０２の上に形成した旋回スクロール１０１と、この旋回スクロール１０１の自転を防止して旋回のみをさせる自転防止機構１１９とを有し、前記旋回鏡板１０２の旋回スクロール羽根１１８とは反対側に設けられた旋回駆動軸１２０は、クランク軸１１５の一端に形成した主軸１２１の内方に設けられた偏心軸受１２２に嵌入され、このクランク軸１１５はその主軸１２１を支承する主軸受１２３を有する軸受部材１０５で支持されている。また、前記旋回鏡板１０２の背面に、この背面とは摺動自在であり、微少空隙１０７を遮断して、旋回鏡板１０２の背面の中心側に圧縮機構１０４の吐出圧力が作用し、その外側の背圧室１１０に吐出圧力と吸入圧力との間の適切な中間の圧力が作用するように仕切る、リング状背圧仕切帯１０８が配設されている。
【００１３】
ここで、本実施の形態に於ける詳細な構成を説明する為、図２として図１の背圧仕切帯１０８近傍の拡大断面図を示す。背圧仕切帯１０８は軸受部材１０５に形成された円筒状収納溝１０９に収納されている。この背圧仕切帯１０８の外側側面は旋回鏡板に対して径大となるような円錐状の傾斜面１０８Ａを持ち、また前記収納溝外壁側面もこれに合わせた円錐状の傾斜面１０９Ａとなっている。
【００１４】
次に、本発明における作用を説明する。圧縮機構１０４の吸入口１２４から吸入された冷媒は、圧縮作業空間１０３で順次圧縮され、吐出口１２５から吐出される。なお、スクロール圧縮機の圧縮原理については、既に公知のことである為省略する。
【００１５】
このとき、旋回スクロール１０１の旋回鏡板１０２に圧縮作業空間１０３から軸方向スラスト力が付加され、その為、旋回鏡板１０２の背面が軸受部材１０５の軸方向支持部１０６に押圧されようとする。しかし、旋回鏡板１０２の背面の微少空隙１０７は背圧仕切帯１０８で仕切られており、その中心側には吐出圧力と同じ圧力の圧縮機構１０４を潤滑する潤滑油で満たされており、また、その外側に吐出圧力と吸入圧力との間の適切な中間の圧力が作用するので、前記圧縮作業空間１０３側から付加される軸方向スラスト力が背圧仕切帯１０８の内側の圧力と相殺され、固定枠体１１６との当接力を小さな値にでき、摺動損失を低減させる。更に、従来、始動直後や運転条件等によって、旋回鏡板１０２の
背面の中心に作用する圧力の潤滑油がこの背圧仕切帯１０８を収納する軸受部材１０５に形成した収納溝１０９背面に流入し難く、背圧仕切帯１０８が旋回鏡板１０２に押圧される方向（即ち、溝から浮かび上がる方向）に動作し難い様な場合でも、本実施例における背圧仕切帯１０８の外側側面形状（１０８Ａ）と収納溝１０９外壁側面形状（１０９Ａ）とによれば、図２に示す様に、背圧仕切帯１０８に中心側から作用する圧縮機構１０４の吐出圧力と等しい圧力の潤滑油が掛かることにより、半径方向にリング形状が径大となる為、これと共に、始動直後に前記円錐状傾斜面（１０８Ａ、１０９Ａ）に沿って、速やかに背圧仕切帯１０８が浮上し、収納溝１０９に前記潤滑油が流入し易くなると共に、旋回鏡板１０２の背面と収納溝１０９の外周側面とが押圧され、これにより安定して背圧仕切帯１０８の内側と外側が摺動自在に密封される為、吐出圧力より低い背圧室に吐出圧力に近い潤滑油が過大に流入して、旋回鏡板１０２平面の摺動等による動力損失が増大して、圧縮機の効率を低下させたり、潤滑油が少なくなり信頼性の低下を招くと言うようなことが無くなる。
【００１６】
なお、本実施の形態において、スクロール圧縮機の軸受部材１０５に背圧仕切帯１０８の収納溝１０９を設けた場合を代表例として用いたが、旋回鏡板１０５側に収納溝１０９を設けても同様に実施可能である。
【産業上の利用可能性】
【００１７】
以上のように、本発明に係るスクロール圧縮機は、圧縮機始動直後に背圧仕切帯が速やかに旋回鏡板の背面と収納部外周側面とに押圧される様になる為、密封が確実なものとなると共に、背圧が安定して、吐出圧力より低い背圧室に吐出圧力に近い潤滑油が過大に流入することが無くなり、効率を安定化させると共に、信頼性の高いスクロール圧縮機を提供することが可能となるので、空気調和装置や冷蔵庫等の冷凍機器の他に、ヒートポンプ式給湯装置等にも適用することが出来る。
【図面の簡単な説明】
【００１８】
【図１】本発明の実施の形態１におけるスクロール圧縮機の縦断面図
【図２】本発明の実施の形態１における背圧仕切帯近傍拡大断面図
【図３】従来のスクロール圧縮機の圧縮機構部断面図
【図４】従来のスクロール圧縮機の背圧仕切帯近傍拡大断面図
【符号の説明】
【００１９】
１０１    旋回スクロール
１０２    旋回鏡板
１０３    圧縮作業空間
１０４    圧縮機構
１０５    軸受部材
１０６    軸方向支持部
１０７    微少空隙
１０８    背圧仕切帯
１０８Ａ  背圧仕切帯外周傾斜部
１０９    背圧仕切帯収納溝（従来）
１０９Ａ  背圧仕切帯収納溝外周傾斜部
１１０    背圧室
１１１    密閉容器
１１２    電動機
１１３    固定子
１１４    回転子
１１５    クランク軸
１１６    固定枠体
１１７    固定スクロール
１１８    旋回スクロール羽根
１１９    自転防止機構
１２０    旋回駆動軸
１２１    主軸
１２２    偏心軸受
１２３    主軸受
１２４    吸入口
１２５    吐出口
【図１】
2007023957.tif 000003
【図２】
2007023957.tif 000004
【図３】
2007023957.tif 000005
【図４】
2007023957.tif 000006